(57)【要約】【課題】小型ファンの微弱な負圧でも、装置内のインクミストを効率良く吸引することができるとともに、ファンの通風口についたインクミスによるユーザーの手の汚染を防ぐことができるインクジェット記録装置を提供すること。【解決手段】インクを吐出して画像を記録する記録手段を用いて被記録材に画像形成を行う装置であって、装置内部に強制的に気流を発生させるファンを有するインクジェット記録装置において、外装カバーに回動可能に設けられたカバー部材を有し、前記カバー部材は、記録装置使用時に開放位置に設置し、非使用時には閉塞位置に設置され、前記カバー部材を閉塞した時にカバー部材が覆う範囲内に前記ファンの通風口を配置する。【選択図】図１
2007055132.tif 000002
【特許請求の範囲】
【請求項１】
インクを吐出して画像を記録する記録手段を用いて被記録材に画像形成を行う装置であって、装置内部に強制的に気流を発生させるファンを有するインクジェット記録装置において、
外装カバーに回動可能に設けられたカバー部材を有し、前記カバー部材は、記録装置使用時に開放位置に設置し、非使用時には閉塞位置に設置され、前記カバー部材を閉塞した時にカバー部材が覆う範囲内に前記ファンの通風口を配置したことを特徴とするインクジェット記録装置。
【請求項２】
前記カバー部材の開放位置は、前記ファンの通風口の略通風方向に記録装置本体から突出した位置であることを特徴とする請求項１記載のインクジェット記録装置。
【請求項３】
前記カバー部材は、該カバー部材を閉じた時に、用紙挿入口を覆うことを特徴とする請求項１記載のインクジェット記録装置。
【請求項４】
前記通風口は、ファンの排気口であることを特徴とする請求項１記載のインクジェット記録装置。
【発明の詳細な説明】
【技術分野】
【０００１】
本発明は、被記録材料上にインクを吐出して画像を記録するインクジェット記録装置に関し、詳しくは、装置内部のインクミスト処理技術に関する。
【背景技術】
【０００２】
従来、インクジェット記録装置においては、装置内部に浮遊するインクミストを処理するために、装置内部に気流を発生させるファンと気流に乗ったインクミストを捕捉するインクミスト捕捉フィルタを有するものがある（特許文献１）。
【０００３】
又、 記録用紙搬送面に穴を有し、該穴からファンを利用してインクミストを吸引する構成のものもある（特許文献２）。
【０００４】
更に、ミスト吸引ファンとフィルタを有し、更には静電気を利用してインクミストを吸着する構成のものがある（特許文献３）。
【特許文献１】特開平１１−１３８７７７号公報
【特許文献２】特開２００３−１１８１８１号公報
【特許文献３】特開平８−２３８７８４号公報
【発明の開示】
【発明が解決しようとする課題】
【０００５】
しかしながら、小型、軽量のモバイルプリンタを鑑みると、小型軽量の本体に搭載されるファン自体もおのずと小型のものになるため、そのミスト吸着能力には限界がある。その中でも性能の良いファン及びインクミスト捕捉フィルタを用いても、装置内部に浮遊するインクミストを十分に処理することは難しく、インクミスト及びインク滴の飛散や付着による不具合発生は十分には防げていないのが現状である。
【０００６】
ファンの回転数を上げれば気流は増強でき、インクミストの吸引能力は上がるが、ファンのブレードに付着蓄積したインク滴が飛び散り、却って制御不能なインク飛散が発生したり、ファンの騒音がひどくなる等の弊害も発生する。そのため、効率良くインクミストを捕集することが課題となっている。
【０００７】
又、印刷枚数が多くなると、ファンの通風口付近がインクミストで汚れ、モバイルプリンタを持ち歩くときにユーザーの手が汚れてしまう等の問題もあった。
【０００８】
本発明は上記問題に鑑みてなされたもので、その目的とする処は、小型ファンの微弱な負圧でも、装置内のインクミストを効率良く吸引することができるとともに、ファンの通風口についたインクミスによるユーザーの手の汚染を防ぐことができるインクジェット記録装置を提供することにある。
【課題を解決するための手段】
【０００９】
上記目的を達成するため、請求項１記載の発明は、インクを吐出して画像を記録する記録手段を用いて被記録材に画像形成を行う装置であって、装置内部に強制的に気流を発生させるファンを有するインクジェット記録装置において、外装カバーに回動可能に設けられたカバー部材を有し、前記カバー部材は、記録装置使用時に開放位置に設置し、非使用時には閉塞位置に設置され、前記カバー部材を閉塞した時にカバー部材が覆う範囲内に前記ファンの通風口を配置したことを特徴とする。
【００１０】
請求項２記載の発明は、請求項１記載の発明において、前記カバー部材の開放位置は、前記ファンの通風口の略通風方向に記録装置本体から突出した位置であることを特徴とする。
【００１１】
請求項３記載の発明は、請求項１記載の発明において、前記カバー部材は、該カバー部材を閉じた時に、用紙挿入口を覆うことを特徴とする。
【００１２】
請求項４記載の発明は、請求項１記載の発明において、前記通風口は、ファンの排気口であることを特徴とする。
【発明の効果】
【００１３】
本発明によれば、装置内部に強制的に気流を発生させるファンを有するインクジェット記録装置において、該インクジェット記録装置を使用するときには必ず開放状態で使用するカバーが覆うことが可能な範囲内にファンの通風口を配置したため、つまり、使用状態においてユーザーが必ず上記カバーを開放状態にするため、ファンの通風口近傍に空気の流れを妨げる物体が来ることがなく、該通風口近傍にはカバーの移動範囲の大きさに伴う空間が必ずできるようになる。そのため、小型ファンの微弱な負圧でも、装置内のインクミストを効率良く吸引することが可能となる。
【００１４】
又、カバー部材は、用紙カセット挿入口及びファンの通風口をカバーするものであり、プリンタを使用せずに該カバーを閉じた状態では、カセット挿入口と前記ファンの通風口を覆っている。つまり、プリンタを持ち運ぶ状態のとき前記カバーは必ず閉じられているので、ファンの通風口についたインクミスがユーザーの手を汚す心配もなくなる。
【発明を実施するための最良の形態】
【００１５】
以下に本発明の実施の形態を添付図面に基づいて説明する。
【００１６】
図１は本発明を実施したインクジェット記録装置の外観概略構成を示す外観斜視図である。
【００１７】
図１において、１，２は筐体であり、１は上ケース、２は下ケースである。上ケース１と下ケース２には、筐体通風口であるところの、複数のスリット孔から成るルーバ３が設けてある。ルーバ３の内側には、ファン排気口５が位置している。又、２ａはカバーであり、図１の状態は、該カバー２ａを回動させてルーバ３とカセット挿入口２ｂが露出している状態である。
【００１８】
図２は本実施の形態に係るインクジェット記録装置内部の主要構成を示す斜視図である。
【００１９】
図２において、プリンタユニット６は、メインシャーシ７をベースにして種々の部品が組み込まれている。９はヘッドガイドシャフト８にガイドされて記録主走査方向に往復移動する記録ヘッドである。記録ヘッド９の下方には図示しないヘッド保護キャップがあり、図示しないポンプユニットとの協働により、記録ヘッド９のメンテナンスが行われる。不図示の記録用紙は、一対の第１搬送ローラ１０によりプラテン１１上を搬送され、一対の第２搬送ローラ１２とによって、記録副走査方向に搬送される。
【００２０】
１３は記録ヘッド９に供給するインクを内蔵するインクタンクであり、プラテン１１内に保持されている。プリンタユニット６と下ケース２の隙間にファンユニット１６が配置されている。本実施の形態に係るインクジェット記録装置は、小型化、詳しくは薄型化を図るために、後述する薄型斜流ファンを平置きに搭載している。
【００２１】
図３〜図５はファンユニット１６の構成を示す斜視図である。図３はファンユニット１６の斜視図、図４はファンユニット１６の分解斜視図、図５はファンユニットの部分構成斜視図である。
【００２２】
図３〜図５において、１９は強制気流の流路を形成するとともに関連部品を組み付けるファンダクトである。２１はファンである。ファンブレード２４の回転軸方向の矢印Ａ方向から吸気し、ファンブレード２４の回転半径方向の矢印Ｂ方向に排気する、いわゆる斜流ファンであり、ファンダクト１９に固定される。
【００２３】
２２はインクミスト捕捉手段であるところのミストフィルタである。ミストフィルタ２２は、スポンジ状或は綿状の通気性のある材料で形成されており、気流吸入口２５の気流上流にて流路を遮蔽するように配置され、ミストを濾過するものである。
【００２４】
２３はミストフィルタ２２をファンダクト１９に目張り固定するフィルタホルダである。フィルタホルダ２３は、ダクトカバー２０がファンダクト１９に固定されると、ミストフィルタ２２の周囲をファンダクト１９に押し付ける。ダクトカバー２０は、ファンダクト１９と共に気流の流路を形成するものであり、ミスト吸引口２６及びインク滴捕捉手段であるところのインクブロッカ４が形成されている。インクブロッカ４は、僅かにファン２１に進入してくるインクミストが凝集してインク滴となってルーバ３から機外へ飛散することを防止する役目を果たすものである。
【００２５】
ファンユニット状態でファンを駆動すると、ミスト吸引口２６から吸引された空気は、ミストフィルタ２２を通過し、気流吸引口２５からファン２１に吸引される。ファン２１に吸引された空気は、ファン排気口５から吐出され、排気ダクト２７からインクブロッカ４の周囲を通ってルーバ３から機外に排気される。
【００２６】
図６に本実施の形態におけるプリンタ使用状態の斜視図を示す。
【００２７】
３０は用紙カセットである。図６に示すように、本発明に係るインクジェット記録装置を使用するときには、必ず、先ず最初に用紙のセットを行う。図７に示す状態の記録装置のカバー２ａを開け、記録用紙がセットされた用紙カセット３０をカセット挿入口２ｂに挿入する（図６）。このように記録を行うときにはカバー２ａを開けることになるので、ルーバ３の近傍は必ず空間ができることになる。つまり、ファンの通風口の空間をユーザーに意識させることなく確保することができる。
【００２８】
又、本発明に係るインクジェット記録装置を持ち運ぶときには、用紙カセット３０を抜いてカバー２ａを閉じる。こうすることにより、インクのミストで汚れたルーバ３に触れることがなくなるので、ユーザーの手や衣類等を汚染することもなくなる。
【図面の簡単な説明】
【００２９】
【図１】本発明に係るインクジェット記録装置の外観斜視図である。
【図２】本発明に係るインクジェット記録装置内部の主要構成を示す斜視図である。
【図３】本発明に係るインクジェット記録装置のファンユニットの構成を示す斜視図である。
【図４】本発明に係るインクジェット記録装置のファンユニットの構成を示す分解斜視図である。
【図５】本発明に係るインクジェット記録装置のファンユニットの構成を示す部分拡大斜視図である。
【図６】本発明に係るインクジェット記録装置の使用状態の外観概略構成を示す斜視図である。
【図７】本発明に係るインクジェット記録装置の否使用状態の外観概略構成を示す斜視図である。
【符号の説明】
【００３０】
１    上ケース
２    下ケース
２ａ  カバー
３    ルーバ
４    インクブロッカ
５    ファン排気口
６    プリンタユニット
７    メインシャーシ
８    ヘッドガイドシャフト
９    記録ヘッド
１０  搬送ローラ
１１  プラテン
１３  インクタンク
１６  ファンユニット
１９  ファンダクト
２０  ダクトカバー
２１  ファン
２２  ミストフィルタ
２３  フィルタホルダ
２４  ファンブレード
２５  気流吸引口
２６  ミスト吸引口
２７  排気ダクト
３０  用紙カセット
【図１】
2007055132.tif 000003
【図２】
2007055132.tif 000004
【図３】
2007055132.tif 000005
【図４】
2007055132.tif 000006
【図５】
2007055132.tif 000007
【図６】
2007055132.tif 000008
【図７】
2007055132.tif 000009